(57)【要約】ユーザの保管状態に合わせてカスタマイズすることができ、自由度や拡張性を向上させた、ピペットスタンドを提供する。ピペットスタンド(1)は、前方にピペット(100)を保持するピペット保持部(11)と、ピペット保持部(11)を支持する支柱部(41)と、支柱部(41)の台座部(61)と、を有し、ピペットスタンド(1)の左右側面(41Ｌ,41Ｒ)には、一方の側面と他方の側面とに連結手段(411,412)が形成され、複数のピペットスタンド(1)同士を連結可能である。
2016030978.tif 000002
【特許請求の範囲】
【請求項１】
ピペットを保管するためのピペットスタンドであって、前方にピペットを保持するピペット保持部と、前記ピペット保持部を支持する支柱部と、前記支柱部の台座部と、を有し、
前記ピペットスタンドの左右側面には、一方の側面と他方の側面とに連結手段が形成されていることを特徴とするピペットスタンド。
【請求項２】
ピペットを保管するためのピペットスタンドであって、前方にピペットを保持するピペット保持部と、前記ピペット保持部を支持する支柱部と、前記支柱部の台座部と、を有し、
前記ピペットスタンドの左右側面には、一方の側面に凸部が、他方の側面に凹部が一対に形成され、前記凸部と前記凹部は嵌合可能に構成されていることを特徴とするピペットスタンド。
【請求項３】
前記台座部の底面にはスタンド足が設けられたことを特徴とする請求項１又は２に記載のピペットスタンド。
【請求項４】
前記スタンド足は前記台座部から左右方向に張り出す形状に形成されたことを特徴とする請求項３に記載のピペットスタンド。
【請求項５】
前記スタンド足は上方に突出する複数の突起部を有し、前記台座部の底面は前記突起部を挿着可能な複数の穴部を有し、前記突起部と前記穴部の組み合わせで、隣接配置された複数の前記ピペットスタンド同士を連結可能であることを特徴とする請求項４に記載のピペットスタンド。
【請求項６】
前記支柱部および前記台座部の左右幅は、前記ピペット保持部の左右幅と略同一に形成されたことを特徴とする請求項１〜５のいずれかに記載のピペットスタンド。
【請求項７】
前記台座部は前後方向に形成され、かつ前方向に張り出した形状に形成されたことを特徴とする請求項１〜６のいずれかに記載のピペットスタンド。
【請求項８】
前記ピペット保持部は、電動ピペットの本体外部に露呈するピペット側電極と接触し前記電動ピペットの電池を充電する充電電極と、前記充電電極に電力を受給するための電源受給ポートを有することを特徴とする請求項１〜７のいずれかに記載のピペットスタンド。
【請求項９】
前記ピペット保持部は、前記電源受給ポートおよび電源中継ポートを有することを特徴とする請求項８に記載のピペットスタンド。
【請求項１０】
前記電源受給ポートおよび前記電源中継ポートは、前記ピペット保持部の下面に設けられたことを特徴とする請求項９に記載のピペットスタンド。
【請求項１１】
前記電源受給ポートおよび前記電源中継ポートは、下方に延出する囲い壁を有することを特徴とする請求項１０に記載のピペットスタンド。
【請求項１２】
前記電源受給ポートおよび前記電源中継ポートはコネクタを備え、プラグ付きケーブルで接続可能であることを特徴とする請求項９に記載のピペットスタンド。
【請求項１３】
前記支柱部の左右側面の前記ピペット保持部の支持位置よりも下方位置には、支柱部中央へ延びる溝部が形成されていることを特徴とする請求項１に記載のピペットスタンド。
【請求項１４】
前記ピペット保持部は上ケースおよび下ケースの上下構造で形成され、前記下ケースは前記上ケースに収容されるよう形成されたことを特徴とする請求項１に記載のピペットスタンド。
【請求項１５】
前記ピペット保持部の上面には、通電状態を示す発光インジケータ部を有することを特徴とする請求項１に記載のピペットスタンド。
【発明の詳細な説明】
【技術分野】
【０００１】
本発明は、ピペットを保管するためのピペット用スタンドに関する。
【背景技術】
【０００２】
ピペットまたはマイクロピペットと呼ばれる、手持ちで操作される液体分注装置（以下統一してピペットと称する）は、手動と電動の二種類が流通しているがいずれも、ピペット内部に備えた可動ピストンの移動による体積変化を空気のボリューム変化としてとらえ、空気のボリューム変化分相当の容積となる液体を、ピペット先端に装着されるピペットチップに吸引し吐出させる。このピペットチップを使い捨てとすることで、コンタミネーションを避けることができ、また洗浄が不要であるなどの利便さが、ピペットが多用される理由となっている。【０００３】
上記から、ピペットを実験台等に横向きに置くことは、液体がピペット本体に侵入するおそれがあり、また、実験台の汚染がピペットに移着するおそれがあるため、ピペットの保管には、ピペットを吊り下げ状態で保持するスタンド形式が採用される。このようなピペットスタンドは、ピペット保持部と支柱部と台座部を有しており、概略円柱状で、ピペット保持部を支柱部の周方向に数箇所設けてピペットを吊り下げる円形スタンド（非特許文献１参照）、または、概略直方体状で、ピペット保持部を一列に数箇所設けてピペットを保持する直線スタンド（非特許文献２参照）などの形態が知られている。
【先行技術文献】
【非特許文献】
【０００４】
【非特許文献１】ザルトリウス・ジャパン株式会社，“製品情報／電動ピペット”，［online］，［平成 26 年 7 月 24 日検索］，［online］，［平成 26 年 8 月 7 日検索］、インターネット〈URL：http://www.sartorius.co.jp/biohit/products/e_eline/spec/>
【非特許文献２】株式会社エー・アンド・デイ，“製品案内／試験・計測／電動マイクロピペット”，［online］，［平成 26 年 8 月 7 日検索］、インターネット〈URL：http://www.aandd.co.jp/adhome/products/analytical/mpa.html>
【発明の概要】
【発明が解決しようとする課題】
【０００５】
上述のような保管スタンドは、予め規定された数本のピペットしか保管することができず、任意の数のピペットを最低限のスペースで保管するには不向きである。【０００６】
本発明は、従来技術の問題点に基づいて為されたもので、その目的は、ユーザの保管状態に合わせてカスタマイズすることができ、自由度や拡張性を向上させた、ピペットスタンドを提供することにある。
【課題を解決するための手段】
【０００７】
上記課題を解決するために、本発明のある態様のピペットスタンドは、ピペットを保管するためのピペットスタンドであって、前方にピペットを保持するピペット保持部と、前記ピペット保持部を支持する支柱部と、前記支柱部の台座部と、を有し、前記ピペットスタンドの左右側面には、一方の側面と他方の側面とに連結手段が形成されていることを特徴とする。【０００８】
また、本発明の別の態様のピペットスタンドは、前方にピペットを保持するピペット保持部と、前記ピペット保持部を支持する支柱部と、前記支柱部の台座部と、を有し、前記ピペットスタンドの左右側面には、一方の側面に凸部が、他方の側面に凹部が一対に形成され、前記凸部と前記凹部は嵌合可能に構成されていることを特徴とする。【０００９】
この態様によれば、複数のピペットスタンドを、左右側面に一対に形成された凹凸構造により連結させることができる。これにより、ユーザは保管したいピペットの数だけこのピペットスタンドを購入し、ユーザの保管状態に合わせて任意に組み替えて使用することができるため、ピペットスタンドに自由度や拡張性を持たせることができる。【００１０】
上記態様において、台座部の底面にスタンド足を設けることも好ましい。これにより、スタンドの滑り止め、および台座部の底面が設置面と全面接触するのを回避させることができる。【００１１】
上記態様において、スタンド足を台座部から左右方向に張り出す形状に形成するのも好ましい。これにより、スタンドの全幅を広くとらなくても、スタンド幅方向の安定性を確保することができる。特にスタンドを１台で使用する場合に有効である。【００１２】
上記態様において、スタンド足には上方に突出する複数の突起部を、台座部の底面には上記突起部を挿着可能な複数の穴部を形成するのも好ましい。これにより、上記凹凸構造により連結させたピペットスタンドらに対して、一部のスタンド足を取り外し、一部のスタンド足の突起部を一方のスタンドの穴部と他方のスタンドの穴部に挿入して固定することで、スタンド足が架け橋となり、スタンド足を介してピペットスタンド同士の連結を強化することができる。【００１３】
上記態様において、支柱部および台座部の左右幅は、ピペット保持部の左右幅と略同一に形成するのも好ましい。これにより、支柱部および台座部の幅を、ピペットを保持するためにピペットの幅＋αで設計されるピペット保持部の幅に合わせる形状となるので、左右方向において安定性を高めながらピペットスタンドを必要最小限の大きさに形成することができる。【００１４】
上記態様において、台座部を前後方向に形成し、かつ前方向に張り出した形状に形成するのも好ましい。これにより、ピペット保持部により前方に保持されるピペットに対し、台座部も前方に延出する形状となるので、前後方向において安定性を高めながらピペットスタンドを必要最小限の大きさに形成することができる。【００１５】
上記態様において、ピペット保持部は、電動ピペットの本体外部に露呈するピペット側電極と接触し該電動ピペットの電池を充電する充電電極と、該充電電極に電力を受給するための電源受給ポートを有するのも好ましい。これにより、本ピペットスタンドは、電動ピペットに対しては充電スタンドとして使用することができる。【００１６】
上記態様において、ピペット保持部は、電源受給ポートに加え電源中継ポートを有するのも好ましい。これにより、上記凹凸構造により連結させたピペットスタンドらに対して、一方のスタンドの電源中継ポートと他方のスタンドの電源受給ポートとを中継ケーブルで接続することで、ピペット保持部同士が電気的に直列接続され、同時に複数台の電動ピペットを充電することができる。【００１７】
上記態様において、電源受給ポートおよび電源中継ポート、すなわちコネクタ部をピペット保持部の下面に設定するのも好ましい。これにより、ピペット保持部の前方に保持される電動ピペットと電源系ケーブルとが干渉しないことに加え、電動ピペットに付着した試料液体が電源受給ポートおよび電源中継ポートに撥ねかかるのを位置的に防ぐことができる。【００１８】
上記態様において、上記電源受給ポートおよび上記電源中継ポートに、下方に延出する囲い壁を形成するのも好ましい。これにより、電動ピペットに付着した試料液体が電源受給ポートおよび電源中継ポートに撥ねかかるのを構造的に防ぐことができる。【００１９】
上記態様において、上記電源受給ポートおよび上記電源中継ポートはコネクタを備え、プラグ付きケーブルで接続可能とするのも好ましい。これにより、コネクタを利用し、プラグ付きケーブルで接続するだけでよいので、ユーザレベルで上記の拡張的充電が行える。【００２０】
上記態様において、上記支柱部の左右側面の上記ピペット保持部の支持位置よりも下方位置には、支柱部中央へ延びる溝部を形成するのも好ましい。これにより、電源受給ポートおよび電源中継ポートから伸びるケーブルを、溝部を通してスタンドの後方に配置することができるので、ピペットを保管する際にケーブルが干渉することもなく、またケーブルにピペットの液滴がかかることもない。そして、ピペットスタンドを連結して使用した際にも、ケーブルが邪魔になることはない。【００２１】
上記態様において、ピペット保持部は上ケースおよび下ケースの上下構造で形成し、該下ケースは該上ケースに収容されるよう形成するのも好ましい。これにより、ピペットは、ピペット保持部に対し上方から装着されるため、この動作時に仮にピペットに付着した試料液体がピペット保持部に撥ねかかっても、上ケースに付着した液体は上ケースを伝いそのまま下方に垂れ落ちるため、ピペット保持部の内部への液体の侵入を構造的に防ぐことができる。【００２２】
上記態様において、ピペット保持部の上面には、通電状態を示す発光インジケータ部を形成するのも好ましい。これにより、電動ピペットの充電スタンドとして使用する場合は、スタンドの上部の視認性の高い位置に通電状態が示される。
【発明の効果】
【００２３】
ユーザの保管状態に合わせてカスタマイズすることができ、自由度や拡張性を向上させた、ピペットスタンドを提供することができる。
【発明を実施するための形態】
【００２４】
次に、本願発明の好適な実施の形態を、図面を参照しながら説明する。本発明のピペットスタンドは、電動／手動に関わらずピペットを保管するのに使用することができるが、以下電動ピペットを対象とした実施の形態で説明する。
【００２５】
（ピペットスタンドの全体構成）
図１はピペットスタンド１の右前方斜視図、図２はピペットスタンド１の左前方斜視図である。また、図１３は同ピペットスタンド１に対応する電動ピペット１００の一例である。
【００２６】
このピペットスタンド１は、図１３に示されるような、本体１０１の左右側面にピペット側電極１０２を備える電動ピペット１００を充電するための装置である。電動ピペット１００は、手持ちにより操作され、本体１０１の内部には、下方から順に、シリンダと、シリンダ内を上下方向に往復移動可能に挿入されたピストンと、ピストンに連結されピストンを上下方向に移動させるためのボールネジと、ボールネジを正逆いずれの方向にも回転駆動させるステッピングモータと、モータの上方位置（本体１０１の頭部）に電気ボードおよびモータや該電気ボードを駆動するための蓄電池１０３と、蓄電池１０３に接続された充電用コネクタが収容されており、この充電用コネクタがピペット側電極１０２に接続されている。
【００２７】
ピペットスタンド１は、ピペット保持部１１と、支柱部４１と、台座部６１と、からなる。なお、本明細書では、ピペットスタンド１の構成について、電動ピペット１００を装着する側を正面視した状態を基準に、上下左右前後および正面背面を述べる。ピペットスタンド１のスタンド本体である支柱部４１と台座部６１は、耐薬品性を備える樹脂、例えばＡＢＳやＰＰ等による一体成形で形成されている。ピペット保持部１１は、スタンド本体から取り外すことができ、耐薬品性を備える樹脂、例えばＡＢＳやＰＰ等による成形品から形成されている。
【００２８】
（ピペット保持部）
図３（ａ）はピペット保持部１１の前方斜視図、図３（ｂ）はピペット保持部１１の断面図（図３（ａ）のｂ−ｂ線に沿う断面図）、図４（ａ）はピペット保持部１１のコネクタ部１１５を示す図、図４（ｂ）はピペット保持部１１の分解斜視図、図５はピペット保持部１１の構成ブロック図である。
【００２９】
ピペット保持部１１は、ピペット受け部１１１と、ピペット受け部１１１の左右から延出する左アーム部１１２および右アーム部１１３と、からなる。
【００３０】
ピペット受け部１１１は、矩形の筐体であり、その正面１１１ｆは上から下にかけて広がるスカート状に形成され、その背面１１１ｂは鉛直面で形成されている（図３（ｂ）参照）。ピペット受け部１１の背面１１１ｂは固定部１１４となっており、背面１１１ｂの上部には左右二箇所にネジ穴１３９，１３９が形成されている（図３（ａ）参照）。
【００３１】
ピペット受け部１１１の下面１１１ｄは、コネクタ部１１５となっている。コネクタ部１１５には、右側に電源受給ポート１１６、左側に電源中継ポート１１７が形成されている（図４（ａ）参照）。ピペット受け部１１１の上面１１１ｕには、発光インジケータ部１２５が形成されている（図３（ａ）参照）。
【００３２】
左アーム部１１２および右アーム部１１３は、電動ピペット１００の頭部を収容可能な程度に遠配置されている。左アーム部１１２および右アーム部１１３のいずれにも、その内側面に谷状凹部１１２ａおよび谷状凹部１１３ａが形成されており、谷状凹部１１２ａ，１１３ａの底部には、電動ピペット１００のピペット側電極１０２と接触させるための充電電極１１８が露呈されている。
【００３３】
ピペット受け部１１１の筐体内には、基板１２０が配設されており、基板１２０には後述する充電部１２７の回路を形成する各種電子部品が実装されている。基板１２０には、電源入力用の電源受給用コネクタ１２２（ＵＳＢメス側コネクタ）および電源出力用の電源中継用コネクタ１２３（ミニＵＳＢメス側コネクタ）が実装されている。電源受給用コネクタ１２２および電源中継用コネクタ１２３の先端周部には、ピペット受け部下面１１１ｄから下方に延出する囲い壁１１９が形成されている（図３，図４も参照）。電源受給用コネクタ１２２および電源中継用コネクタ１２３は、コネクタ部１５に形成された、電源受給ポート１１６および電源中継ポート１１７となる。基板１２０にはＬ字型の金属配線体１２１（図３（ｂ）で斜線にて図示）が圧接するように固定されており、この金属配線体１２１が直接上ケース１３１にネジ止めされて左アーム部１１２および右アーム部１１３へ延出し、充電電極１８を形成している。電源受給ポート１１６には、電源ケーブル３または必要に応じて中継ケーブル４が接続される。電源中継ポート１１７には、必要に応じて中継ケーブル４が接続される。
【００３４】
そして、このピペット保持部１１１は、上ケース１３１および下ケース１３２の上下構造で形成されている（図４（ｂ）参照）。下ケース１３２は、ピペット受け部下面１１１ｄと，囲い壁１１９，１１９と、左アーム部１１２および右アーム部１１３の下面の一部となる左右フック部１３３，１３３と、背面フック部１３４と、を有する。下ケース１３２は、これらの構成要素を有するように、一体成形で形成されるのが好ましい。
【００３５】
上ケース１３１は、ピペット受け部正面１１１ｆと、背面１１１ｂと、上面１１１ｕと、左アーム部１１２と、右アーム部１１３と、を有する。上ケース１３１の左アーム部１１２および右アーム部１１３の下面には、左右フック部１３３，１３３を収容・固定するためのフック溝１３５，１３５が形成されている。上ケース１３１のピペット受け部背面１１１ｂには、背面フック部１３４とランス係合する係合孔１３６が形成されている。上ケース１３１のピペット受け部上面１１１ｕには、発光インジケータ部１２５を形成するための、光透過孔１３７が形成されている。発光インジケータ部１２５は、後述するＬＥＤ１２６の発光を光透過孔１３７から透過させ、例えばピペット受け部上面１１１ｕに透光部を有するラベル（図示せず）を貼り付けることで、光透過孔１３７を密封して形成される。上ケース３１は、これらの構成要素を有するように、一体成形で形成されるのが好ましい。
【００３６】
ピペット保持部１１は、下ケース１３２の左右フック部１３３を上ケース１３１のフック溝１３５に固定して、下ケース３２の背面フック部１３４を上ケース３１の係合孔１３６に固定することで形成される。このとき、下ケース１３２の外周部１３２ｓは、周方向すべてが上ケース１３１の内周部１３１ｓに当接し、下ケース３２は上ケース３１に収容される形態となる。
【００３７】
次に、図５はピペット保持部１１の構成ブロック図である。ピペット保持部１１は、電源受給ポート１１６、電源中継ポート１１７、充電電極１１８と、発光インジケータ部１２５を構成するためのＬＥＤ１２６と、充電部１２７と、を有する。
【００３８】
ピペット保持部１１は、標準一般的な商用電源６に対し、ＡＣ/ＤＣアダプタ５を有する電源ケーブル３を介して接続される。ＡＣ/ＤＣアダプタ５は整流回路を有し、直流の電力を電源受給ポート１１６に供給する。電源受給ポート１１６は充電部１２７に接続され、充電部１２７は充電電極１１８に接続されている。充電電極１１８は、ピペット側電極１０２と接触することで電動ピペット１００の蓄電池１０３と電気的に接続される。
【００３９】
充電部１２７は、前述の直流の電力で充電されるコンデンサや充電電圧を制御するレギュレータ等を含む充電回路，ツェナーダイオード等を含む定電圧回路，出力回路を有している。また、充電部１２７には、ＬＥＤ１２６が並列接続されている。ＬＥＤ１２６は、基板１２０の所要の位置に実装されており、充電部２７が充電動作中に通電して発光し、電源側からの電力供給が無いときは通電されず発光しない。また、充電部１２７には、電源中継ポート１７が並列接続されている。電源中継ポート１７には、必要に応じて、一方が電源受給用コネクタ（ＵＳＢオス側コネクタ），他方が電源中継用コネクタ（ミニＵＳＢオス側コネクタ）となった中継ケーブル４を接続することが可能である。
【００４０】
（支柱部）
支柱部４１は、図１，図２に示されるように、その左右幅は、ピペット保持部１１の左右幅と略同一に形成されている。その高さは、電動ピペット１００に装着されたピペットチップ先端または電動ピペット１００のチップホルダー先端が実験台等に接触するのを防ぐのに必要な空間を維持するために電動ピペット１００の全長分が確保されている。支柱部４１の前面４１Ｕの上端部には、上述のピペット保持部１１のネジ穴１３９，１３９に対応する位置に雌ネジ部（図示せず）が形成されており、ピペット保持部１１は、支柱部の前面４１Ｕの上方にネジ止め固定されている。また、支柱部４１の上端部は、電動ピペット１００をピペット保持部１１に装着しやすいように、やや後方に傾斜させて形成されている。
【００４１】
支柱部４１の左側面４１Ｌには、その上下二箇所に、中空円錐台状の凸部４１１，４１１が形成されている。支柱部４１の右側面４１Ｒには、その対応箇所に、凸部４１１，４１１と嵌合する凹部４１２，４１２が形成されている。凸部４１１と凹部４１２が連結手段である。なお、凸部４１１が右側面４１Ｒ，凹部４１２が左側面４１Ｌにある構成でもよい。一対の凸部４１１，凹部４１２はより複数箇所に形成されてもよいし、単数であってもよい。また、凸部４１１，凹部４１２は、容易に連結でき、また容易にその連結状態を解くことができる他の形状が採られてもよい。また、連結手段は、凹凸の嵌合構造に限らず、左右側面４１Ｌ，４１Ｒに一対の雌ねじ部，雄ねじ部を一体形成し、ねじ止めにより連結される構成が採られてもよい。
【００４２】
また、支柱部４１の左側面４１Ｌおよび右側面４１Ｒには、ピペット保持部１１の固定位置よりも下方位置に、支柱部中央へ横方向に延びる横溝部４１３，４１３が形成されており、支柱部４１の背面４１Ｂには、ケーブルフック４１４が形成されている（図１１も参照）。
【００４３】
（台座部）
図６は台座部６１の底面６１Ｄを示す図、図７はスタンド足７１の斜視図である。台座部６１は、図１，図２にも示されるように、その左右幅は、支柱部４１から続きピペット保持部１１の左右幅と略同一に形成されている。かつ、台座部６１は、支柱部４１から前方向に張り出した形状に形成されて、ピペットスタンド１は側方視Ｌ字型に形成されている。
【００４４】
台座部６１の底面６１Ｄは、図６に示すように、その前端域６１Ｄｆと後端域６１Ｄｂは平面状に形成され、その中央域６１Ｄｍはやや上方に窪む湾曲形状に形成されている。中央域６１Ｄｍには、スタンドのウエイト６１２がネジ固定されている。前端域６１Ｄｆと後端域６１Ｄｂにはそれぞれ、下記の突起部７１２を挿着可能な穴部６１１が、左右３×前後２の計６つ形成されている。
【００４５】
（スタンド足）
台座部６１の底面６１Ｄには、図７に示すスタンド足７１が挿着／着脱可能である。スタンド足７１は、耐薬品性、可撓性、すべり抵抗性を備える樹脂、例えばエラストマー等による平行四辺形状の成形品であり、その上面は、一方の鋭角側が下面側に欠けていく切欠部７１１が形成されるとともに、上方に突出する突起部７１２が３つ形成されている。突起部７１２は、頭部に球部を有する円錐状の中空ボスであり、１つは切欠部７１１と対角となる位置に、残りの２つはスタンド足７１の中央域に一列に並んで形成されている。
【００４６】
ここで、図８はピペットスタンド１を１台で使用する場合のスタンド足７１の取り付けを示す図である。１台で使用する場合は、台座部底面６１Ｄの前端域６１Ｄｆと後端域６１Ｄｂのそれぞれにおいて、スタンド足７１は、左右に２つずつ、中央の穴部６１１を前後で分けあって挿着され、計４つが固定される。これにより、スタンド足７１は、台座部６１の四隅で、切欠部７１１が左右方向に張り出す形状で固定される。
【００４７】
そして、スタンド足７１の突起部７１２と台座部６１の穴部６１１の組み合わせにより、左右に隣接配置されたピペットスタンド１，１を連結することができる。図９はピペットスタンド１を複数台で使用した場合のスタンド足７１の取り付けを示す図である。
【００４８】
左側のピペットスタンドを１Ａ、右側のピペットスタンドを１Ｂ、ピペットスタンド１Ａのスタンド足７１をそれぞれ図示時計回りに７１Ａ１〜７１Ａ４、ピペットスタンド１Ｂのスタンド足７１をそれぞれ７１Ｂ１〜７１Ｂ４とする。複数台で使用する場合は、台座部底面６１Ｄの前端域６１Ｄｆで示しているように、ピペットスタンド１Ｂの内側に位置するスタンド足７１Ｂ２を取り外し、ピペットスタンド１Ａの内側に位置するスタンド足７１Ａ１の突起部７１２を矢印のようにスタンドＢ側に１穴ずらして挿入すると、スタンド足７１Ａ１により、２つのスタンドＡ，Ｂの前端が連結する。勿論、スタンド足７１Ａ１を外して、スタンド足７１Ｂ２をスタンドＡ側にずらして挿入しても同様である。後端域６１Ｄｂでは、スタンド足７１Ａ４を外し、スタンド足７１Ｂ３で後端を連結した状態を示している。
【００４９】
以上の構成からなるピペットスタンド１の使用例について説明する。
【００５０】
（使用例１）
使用例１は、ピペットスタンド１を１台で使用した例であり、図１０はピペットスタンド１を１台で使用した場合の右前方斜視図、図１１はピペットスタンド１を１台で使用した場合の右後方斜視図である。
【００５１】
図１０および図１１に示すように、電動ピペット１００を、ピペット保持部１１に対し上方から装着すると、ピペット側電極１０２が左右アーム部１１２，１１３の谷状凹部１１２ａ，１１３ａに懸垂する状態となり、電動ピペット１００がピペット保持部１１に吊り下げ保持される。ここで、電源受給ポート１１６に電源ケーブル３を接続すれば、電動ピペット１００のピペット側電極１０２とピペット保持部１１の充電電極１１８が電気的に接続され、充電が開始される。
【００５２】
ピペット保持部１１から伸びる電源ケーブル３は、横溝部４１３を通して、ピペットスタンド１の後方に収容可能である。後方にまわしたケーブルは、ケーブルフック４１４によりピペットスタンド１の背面４１Ｂに固定可能である。
【００５３】
ピペットスタンド１は、支柱部４１および台座部６１の左右幅は、ピペット保持部１１の左右幅と略同一に形成し、台座部６１は支柱部４１から前方向に張り出した形状に形成しているので、スタンドの全幅を広くとらなくても、左右および前後方向に安定している。さらに、台座部６１からはスタンド足７１が左右に張り出すので、スタンド１台で使用した場合でも、左右方向の安定性が確保されている。
【００５４】
また、ピペットスタンド１は、台座部底面６１Ｄをそのまま接地面とせず、スタンド足７１を装着した構成としたことで、第１にスタンド足７１による滑り止め効果と、第２に台座部底面６１Ｄと設置面の接触面積を低減させることができる。これにより、台座部底面６１Ｄと設置面間に電動ピペット１００から垂れた液体が滞留し、台座部底面６１Ｄが設置面に吸着するのを防止することができる。この観点から、スタンド足７１の下面には、より接触面積を低減するための円柱状のゴム足７１３が形成されるのも好ましい（図８を参照）。
【００５５】
また、ピペット保持部１１は、その下面１１１ｄにコネクタ部１１５を設定したため、ピペット受け部１１１の前方に保持される電動ピペット１００と電源ケーブル３や中継ケーブル４が干渉しないことに加え、電動ピペット１００に付着した試料液体が電源受給ポート１１６や電源中継ポート１１７に撥ねかかるのを位置的に防ぐことができる。さらに、電源受給ポート１１６および電源中継ポート１１７には囲い壁１１９が形成されているため、電動ピペット１００に付着した試料液体が電源受給ポート１１６や電源中継ポート１１７に撥ねかかるのを構造的にも防ぐことができる。
【００５６】
なお、電源ケーブル３や中継ケーブル４は横溝部４１３によりピペットスタンド１の後方に回すことができるので、電動ピペット１００を保管する際にケーブル３，４が干渉することもなく、またケーブルにピペットの液滴がかかることもない。
【００５７】
また、ピペット保持部１１は、上下構造を採用し、下ケース１３２が上ケース１３１に収容されるように形成したため、電動ピペット１００を装着する際に仮に試料液体がピペット保持部１１に撥ねかかっても、上ケース１３１に付着した液体は上ケース１３１を伝いそのまま下方に垂れ落ちる。この点からも、電源受給ポート１１６や電源中継ポート１１７を保護することができるとともに、ピペット保持部１１の内部への液体の侵入も防ぐことができる。
【００５８】
また、ピペットスタンド１は、充電がなされると、ピペット保持部１１１の発光インジケータ部１２５が発光し、視認性の高い位置で、充電のＯＮ/ＯＦＦ状態を知らしめることができる。
【００５９】
（使用例２）
使用例２は、ピペットスタンド１を複数台連結して使用した例であり、図１２はピペットスタンド１を複数台で使用した場合の右前方斜視図である。
【００６０】
図１２に示すように、ピペットスタンド１は、ピペットスタンド１，１同士を、左右側面４１Ｌ，４１Ｒにおいて一対に形成された凸部４１１と凹部４１２を嵌合させることにより、直線状に連結させることができる。このとき、凸部４１１は中空部を有しているため可撓性を有しており、凸部４１１と凹部４１２は容易に嵌合させることができ、また容易に外すことができる。この凹凸構造による連結に加え、図９で示したように、一部のスタンド足７１を外し、一部のスタンド足７１をずらして挿着することで、スタンド足７１が架け橋となり、ピペットスタンド１，１同士の連結を強化することができる。
【００６１】
これにより、ユーザは保管したいピペットの数だけこのピペットスタンド１を購入し、保管状態に合わせて任意に組み替えて使用することができる。
【００６２】
また、ピペット保持部１１は、電源受給ポート１１６に加え電源中継ポート１１７を有するため、上記凹凸構造により連結させたピペットスタンド１，１に対して、一方のピペットスタンド１の電源中継ポート１１７と他方のピペットスタンド１の電源受給ポート１１６とを中継ケーブル４で接続することで、ピペット保持部１１１，１１１が電気的に直列接続され、（商用電源６等の供給電源の能力に応じて）同時に複数台の電動ピペット１００を充電することができる。
【００６３】
すなわち、本ピペットスタンド１は、それぞれ独立して充電機能を備える上に、中継ケーブル４で接続するだけで、複数台の充電ステーションとして機能させることができる。
【００６４】
また、ピペットスタンド１は、この形態とするに当り、電源受給ポート１１６および電源中継ポート１１７はコネクタ（電源受給用コネクタ１２２および電源中継用コネクタ１２３）であり、これらに中継ケーブル４のプラグを挿入するだけでよいので、ユーザレベルで簡単に充電拡張機能を利用することができる。
【００６５】
なお、電源ケーブル３や中継ケーブル４は横溝部４１３によりピペットスタンド１の後方に回すことができるので、連結して使用した場合も、ケーブル３，４が邪魔になることはない。
【００６６】
また、ピペット保持部１１は、スタンド本体に対してネジ固定されているだけなので、いずれかのピペットスタンド１のピペット保持部１１が故障等しても、その一台のピペット保持部１１を取り外して別のものに交換すればよいため、利便性も高い。
【００６７】
上述のピペットスタンド１は、電動ピペット１００に限らず、手動ピペットに関しても当然に適用することができる。この場合は、手動ピペットの形状に合わせてピペット保持部１１の形状を設計すればよい。また、本発明のピペットスタンド１は、構造上の連結、さらには電気的な連結も可能で、必要数だけを購入し、任意にカスタマイズできる点を特徴の一つとしている。この点を考慮した当業者の有する知識に基づいて種々の変形、改変は可能であり、それらは本発明に含まれるものである。
【図面の簡単な説明】
【００６８】
【図１】ピペットスタンドの右前方斜視図
【図２】ピペットスタンドの左前方斜視図
【図３】（ａ）ピペット保持部の前方斜視図、（ｂ）ピペット保持部の断面図
【図４】（ａ）ピペット保持部のコネクタ部を示す図、（ｂ）ピペット保持部の分解斜視図
【図５】ピペット保持部の構成ブロック図
【図６】台座部の底面を示す図
【図７】スタンド足の斜視図
【図８】ピペットスタンドを１台で使用した場合のスタンド足の取り付けを示す図
【図９】ピペットスタンドを複数台で使用した場合のスタンド足の取り付けを示す図
【図１０】ピペットスタンドを１台で使用した場合の右前方斜視図
【図１１】ピペットスタンドを１台で使用した場合の右後方斜視図
【図１２】ピペットスタンドを複数台で使用した場合の右前方斜視図
【図１３】電動ピペットの一例
【符号の説明】
【００６９】
１  ピペットスタンド
１１  ピペット保持部
１１１  ピペット受け部
１１２  左アーム部
１１３  右アーム部
１１４  固定部
１１５  コネクタ部
１１６  電源受給ポート
１１７  電源中継ポート
１１８  充電電極
１１９  囲い壁
１２５  発光インジケータ部
１３１  上ケース
１３２  下ケース
４１  支柱部
４１Ｌ  左側面
４１Ｒ  右側面
４１１  凸部（連結手段）
４１２  凹部（連結手段）
６１  台座部
６１Ｄ  底面
６１１  穴部
７１  スタンド足
７１２  突起部
１００  電動ピペット
１０２  ピペット側電極
【図１】
2016030978.tif 000003
【図２】
2016030978.tif 000004
【図３】
2016030978.tif 000005
【図４】
2016030978.tif 000006
【図５】
2016030978.tif 000007
【図６】
2016030978.tif 000008
【図７】
2016030978.tif 000009
【図８】
2016030978.tif 000010
【図９】
2016030978.tif 000011
【図１０】
2016030978.tif 000012
【図１１】
2016030978.tif 000013
【図１２】
2016030978.tif 000014
【図１３】
2016030978.tif 000015
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
ピペットを保管するためのピペットスタンドであって、前方にピペットを保持するピペット保持部と、前記ピペット保持部の背面を支持する支柱部と、前記支柱部の台座部と、を有し、
前記ピペットスタンドの左右側面には、一方の側面と他方の側面とに連結手段が形成され、
前記ピペット保持部は、電動ピペットの本体外部に露呈するピペット側電極と接触し前記電動ピペットの電池を充電する充電電極と、前記充電電極に電力を受給するための電源受給ポートと、電源中継ポートを有し、
前記電源受給ポートおよび前記電源中継ポートは、前記ピペット保持部の下面に設けられ、前記電源受給ポートを前記電源中継ポートからケーブルを介して他の前記電源受給ポートに電気的に接続可能であることを特徴とするピペットスタンド。
【請求項２】
前記連結手段は、前記ピペットスタンドの左右側面の一方の側面に形成された凸部と、他方の側面に前記凸部と一対に形成された凹部であることを特徴とする請求項１に記載のピペットスタンド。
【請求項３】
前記台座部の底面にはスタンド足が設けられたことを特徴とする請求項１又は２に記載のピペットスタンド。
【請求項４】
前記スタンド足は前記台座部から左右方向に張り出す形状に形成されたことを特徴とする請求項３に記載のピペットスタンド。
【請求項５】
前記スタンド足は上方に突出する複数の突起部を有し、前記台座部の底面は前記突起部を挿着可能な複数の穴部を有し、前記突起部と前記穴部の組み合わせで、隣接配置された複数の前記ピペットスタンド同士を連結可能であることを特徴とする請求項４に記載のピペットスタンド。
【請求項６】
前記支柱部および前記台座部の左右幅は、前記ピペット保持部の左右幅と略同一に形成されたことを特徴とする請求項１〜５のいずれかに記載のピペットスタンド。
【請求項７】
前記台座部は前後方向に形成され、かつ前方向に張り出した形状に形成されたことを特徴とする請求項１〜６のいずれかに記載のピペットスタンド。
【請求項８】
（削除）
【請求項９】
（削除）
【請求項１０】
（削除）
【請求項１１】
前記電源受給ポートおよび前記電源中継ポートは、下方に延出する囲い壁を有することを特徴とする請求項１に記載のピペットスタンド。
【請求項１２】
（削除）
【請求項１３】
前記支柱部の左右側面の前記ピペット保持部の支持位置よりも下方位置には、支柱部中央へ延びる溝部が形成されていることを特徴とする請求項１に記載のピペットスタンド。
【請求項１４】
前記ピペット保持部は上ケースおよび下ケースの上下構造で形成され、前記下ケースは前記上ケースに収容されるよう形成されたことを特徴とする請求項１に記載のピペットスタンド。
【請求項１５】
前記ピペット保持部の上面には、通電状態を示す発光インジケータ部を有することを特徴とする請求項１に記載のピペットスタンド。
【国際調査報告】
2016030978.tif 000016
2016030978.tif 000017
2016030978.tif 000018
2016030978.tif 000019